(57)【特許請求の範囲】
【請求項１】
汎用部品を使用した製品を設計する時に、複数の汎用部品のうちの何れかの汎用部品を選択する作業を支援する汎用部品選択支援装置において、
前記汎用部品ごとに、前記汎用部品を識別する識別情報と当該汎用部品の寸法情報と当該汎用部品の性能情報を対応付けて記憶した記憶手段と、
前記汎用部品を一覧表示させるコマンドが発生した場合に、前記記憶手段に記憶された識別情報と寸法情報と性能情報とを一覧で表示させる表示データを作成するデータ処理手段と、
前記データ処理手段で作成された表示データを用いて、前記汎用部品の識別情報の一覧と、当該各汎用部品の寸法情報と性能情報との一覧とを一画面内で表示させる表示手段とを備え、
前記記憶手段は、前記汎用部品の３次元データを前記識別情報に対応付けて更に記憶しており、
前記データ処理手段は、前記製品の３次元データと、前記汎用部品の３次元データとを合成した表示データを作成する共に、当該製品を構成する他の部品と前記汎用部品との干渉度合いを求めて、前記製品と前記汎用部品とを合成した３次元データと干渉度合いとを表示させることを特徴とする汎用部品選択支援装置。
【請求項２】
前記記憶手段は、前記汎用部品を製品に使用した時の不具合に関する懸念項目データを前記識別情報に対応付けて更に記憶しており、
前記データ処理手段は、前記懸念項目データを表示させる表示データを作成することを特徴とする請求項１に記載の汎用部品選択支援装置。
【請求項３】
汎用部品を使用した製品を設計する時に、複数の汎用部品のうちの何れかの汎用部品を選択する作業を支援する汎用部品選択支援方法において、
予め、前記汎用部品ごとに、前記汎用部品を識別する識別情報と当該汎用部品の寸法情報と当該汎用部品の性能情報を対応付けてメモリに記憶しておき、
コンピュータが、前記汎用部品を一覧表示させるコマンドが発生した場合に、前記メモリに記憶された識別情報と寸法情報と性能情報とを一覧で表示させる表示データを作成するステップと、
前記コンピュータが、前記作成された表示データを用いて、前記汎用部品の識別情報の一覧と、当該各汎用部品の寸法情報と性能情報との一覧とを一画面内で表示させるステップと、を有し、
前記メモリに、前記汎用部品の３次元データを前記識別情報に対応付けて更に記憶しておき、
前記表示データを作成するステップにおいて、前記コンピュータが、前記製品の３次元データと、前記汎用部品の３次元データとを合成した表示データを作成する共に、当該製品を構成する他の部品と前記汎用部品との干渉度合いを求め、
前記表示させるステップにおいて、前記コンピュータが、前記製品と前記汎用部品とを合成した３次元データと干渉度合いとを表示させること
を特徴とする汎用部品選択支援方法。
【発明の詳細な説明】
【技術分野】
【０００１】
本発明は、複数の汎用部品を使用した製品を設計する場合に、汎用部品を選択する作業を支援する汎用部品選択支援装置及び汎用部品選択支援方法に関する。
【背景技術】
【０００２】
従来より、例えば車両用のエンジンを設計するに際して、異なる種類のエンジンのそれぞれによって新規に汎用部品を選択する作業が行われており、当該汎用部品の選択に対する検討期間を設けていた。このような作業は、異なる種類のエンジンで共通に使用できる汎用部品を選択する時でも、設計者によって任意に汎用部品を選択することが行われていた。
【発明の開示】
【発明が解決しようとする課題】
【０００３】
しかしながら、上述した従来の汎用部品の選択作業では、機種毎に新規にエンジンを設計するので、開発工数の増加、コスト増加が発生するという問題があった。また、汎用部品を選択するときに当該汎用部品の３次元データが無い場合には、当該汎用部品を使用したときの干渉確認ができず、レイアウト上での確認作業にある程度の期間を要するという問題もある。更に、設計作業を終了した後に、汎用部品の不具合を確認する作業にも工数がかかってしまう。
【０００４】
そこで、本発明は、上述した実情に鑑みて提案されたものであり、汎用部品の選択作業を容易なものとして、製品の開発期間の短縮及び製品のコストを低減できる汎用部品選択支援装置及び汎用部品選択支援方法を提供することを目的とする。
【課題を解決するための手段】
【０００５】
本発明は、汎用部品を使用した製品を設計する時に、複数の汎用部品のうちの何れかの汎用部品を選択する作業を支援する汎用部品選択支援装置であって、上述の課題を解決するために、汎用部品ごとに、汎用部品を識別する識別情報と当該汎用部品の寸法情報と当該汎用部品の性能情報を対応付けて記憶しておき、汎用部品を一覧表示させるコマンドが発生した場合に、識別情報と寸法情報と性能情報とを一覧で表示させる表示データを作成し、作成された表示データを用いて、汎用部品の識別情報の一覧と、当該各汎用部品の寸法情報と性能情報との一覧とを一画面内で表示させる。
この本発明において、汎用部品の３次元データを識別情報に対応付けて更に記憶しておき、製品の３次元データと、汎用部品の３次元データとを合成した表示データを作成する共に、当該製品を構成する他の部品と汎用部品との干渉度合いを求め、製品と汎用部品とを合成した３次元データと干渉度合いとを表示させる。
【発明の効果】
【０００６】
本発明に係る汎用部品選択支援装置及び汎用部品選択支援方法によれば、汎用部品を使用した製品を設計する時に、汎用部品の識別情報と形状情報とを一覧で表示させる表示データを作成して表示させるので、当該一覧表示によって汎用部品の選択作業を容易とすることができ、製品の開発期間の短縮や、製品のコストの低減を実現できる。
【発明を実施するための最良の形態】
【０００７】
以下、本発明の実施の形態について図面を参照して説明する。
【０００８】
本発明は、例えば図１に示すように構成された汎用部品選択支援装置に適用される。この汎用部品選択支援装置は、所謂パーソナルコンピュータで構成され、ＣＰＵ（Central Processing Unit）１に、一覧表示用データ記憶部２，３Ｄデータ記憶部３，図面データ記憶部４，懸念項目記憶部５，キーボードやマウス等の操作入力部６，Ｉ／Ｆ回路等のデータ入力部７及び表示部８が接続されて構成されている。なお、以下の説明では、製品としてエンジンを設計するに際して汎用部品としてのボルトを選択する作業を支援することについて説明する。
【０００９】
この汎用部品選択支援装置は、図２に示すように、汎用部品であるボルトの選択作業において、一覧表示用データ記憶部２に記憶されたデータを用いて、当該ボルトの形状概略情報１１，部品番号情報１２，名称情報１３，図面番号情報１４，３Ｄデータリンク情報１５，干渉チェックリンク情報１６，懸念項目リンク情報１７、形状情報１８を一覧として一画面内に表示させる。これらの情報１１〜１８は、各種のボルトごとに対応付けられて登録されている。なお、形状概略情報１１、部品番号情報１２及び名称情報１３は、ボルトを識別するための識別情報として機能する。
【００１０】
ＣＰＵ１は、図２に示す汎用部品を一覧させるデータを表示させると共に、操作入力部６からの操作入力情報に従って、ボルトの情報を表示部８に表示させる。このとき、ＣＰＵ１は、３Ｄデータ記憶部３、図面データ記憶部４及び懸念項目記憶部５（記憶手段）に記憶された３Ｄデータデータベース、図面データデータベース、懸念項目データベースから、必要な情報を取り出して、表示データを作成する。
【００１１】
一覧表示用データ記憶部２に記憶されているデータは、ボルトを始めとするあらゆる汎用部品ごとに、形状概略情報１１、部品番号情報１２、名称情報１３、図面番号情報１４、３Ｄデータリンク情報１５、干渉チェックリンク情報１６、懸念項目リンク情報１７、形状情報１８を記憶している。この一覧表示用データは、予めデータ入力部６から入力されて、ＣＰＵ１によるデータ登録処理によって記憶されている。なお、一覧表示用データ記憶部２には、後述のボルトに関する情報のみならず、他の汎用部品に関する情報も格納されている。
【００１２】
３Ｄデータ記憶部３に記憶された３Ｄデータデータベースは、３Ｄデータリンク情報１５と、３Ｄデータとが対応付けられて構成されている。この３Ｄデータは、予めデータ入力部６から入力されて、３Ｄデータリンク情報１５と共にＣＰＵ１によるデータ登録処理によって記憶されている。また、この３Ｄデータ記憶部３としては、ＣＡＤ（computer aided design）で作成された３Ｄデータを登録して記憶しておいても良く、汎用部品選択支援装置がＣＡＤを実装した他の装置とネットワーク経由で接続されていても良い。
【００１３】
図面データ記憶部４に記憶された図面データデータベースは、図面番号情報１４と、図面データとが対応付けられて構成されている。この図面データは、予めデータ入力部６から入力されて、図面番号情報１４と共にＣＰＵ１によるデータ登録処理によって記憶されている。
【００１４】
懸念項目記憶部５に記憶された懸念項目データベースは、懸念項目リンク情報１７と、懸念項目データとが対応付けられて構成されている。この懸念項目データは、予めデータ入力部６から入力されて、懸念項目リンク情報１７と共にＣＰＵ１によるデータ登録処理によって記憶されている。
【００１５】
なお、一覧表示用データ記憶部２、３Ｄデータ記憶部３、図面データ記憶部４及び懸念項目記憶部５は、ネットワーク経由でＣＰＵ１と接続されていても良く、単一のパーソナルコンピュータ内でＣＰＵ１と接続されていても良い。
【００１６】
ＣＰＵ１は、データ入力部７から出力された各種データを、３Ｄデータ記憶部３、図面データ記憶部４及び懸念項目記憶部５に記憶させる機能と、操作入力部６からの操作入力信号を入力して３Ｄデータ記憶部３、図面データ記憶部４及び懸念項目記憶部５から必要なデータを読み出して表示部８で表示させる表示データを作成する機能を有する。また、ＣＰＵ１は、表示部８に３Ｄデータを表示させるに際して、３Ｄデータ処理ソフトウェアを実行して、３次元の表示データを作成する。
【００１７】
このような汎用部品選択支援装置は、操作入力部６からの操作入力信号によってボルトの一覧表示をさせるコマンドをＣＰＵ１で入力した場合には、ＣＰＵ１により、一覧表示用データ記憶部２からボルトに関する一覧表示用データを読み出し、図２に示す表示内容の表示データを作成して、表示部８で表示させる。このとき、ＣＰＵ１は、形状情報１８の項目（呼び径、ピッチ、全長、首下等）ごとに、操作入力部６のクリック操作によって選択された場合に形状情報１８の項目ごとに並び替えを行うソートボタン１８ａを表示させる。これによって、図３に示すように、今回のエンジンに搭載できるボルトのみを選択的（３個のボルトのみ）に表示させる絞り込み処理を行うことができる。なお、ボトルにおいては、寸法そのものが汎用部品の性能となるが、他の電制スロットル等では、形状情報１８として、寸法情報と性能情報の双方を表示させることになる。
【００１８】
この図２に示す一覧表示を行うと、形状概略情報１１によってユーザに概略形状を認識させることができると共に、形状情報１８によってユーザに寸法を認識させることができる。この図２に示す一覧を表示している時、ＣＰＵ１は、操作入力部６から３Ｄデータリンク情報１５がクリック操作されたことを表す操作入力信号を入力すると、当該３Ｄデータリンク情報１５に対応付けられた３Ｄデータを３Ｄデータ記憶部３から検索する。そして、ＣＰＵ１は、３Ｄデータリンク情報１５に対応した３Ｄデータを３Ｄデータ記憶部３から読み出すと、図４に示すように、ボルトの詳細な情報を表す属性情報２１と、３Ｄデータ２２とを含む表示データを作成する。なお、属性情報２１は、属性情報２１と関連づけられて３Ｄデータ記憶部３に記憶されているものとする。これによって、ユーザは、３Ｄデータ２２の詳細な形状を確認できる。
【００１９】
また、図２に示す一覧を表示している時、操作入力部６から図面番号情報１４がクリック操作されたことを表す操作入力信号を入力すると、当該図面番号情報１４に対応付けられた図面データを図面データ記憶部４から検索する。そして、ＣＰＵ１は、図面番号情報１４に対応した図面データを図面データ記憶部４から読み出すと、図５に示すように、ボルトの上面図データ及び側面図データを含む図面データ２３の表示データを作成する。これによって、ユーザは、図２に示した形状情報１８より更に詳しいボルト各部の寸法を確認できる。
【００２０】
更に、図２に示す一覧を表示している時、操作入力部６から干渉チェックリンク情報１６がクリック操作されたことを表す操作入力信号を入力すると、当該干渉チェックリンク情報１６に対応付けられた３Ｄデータ記憶部３からボルトの３Ｄデータを読み出すと共に、データ入力部７からエンジンの３Ｄデータを取得する。そして、ＣＰＵ１は、エンジンの３Ｄデータとボルトの３Ｄデータとを用いて、合成処理等の画像処理を行うことによって、図６に示すように、選択済のボルトが使用されたエンジンを表す３Ｄデータ２４を表示させる。この３Ｄデータ２４は、エンジンに電制スロットルを取り付けるためのボルトが選択された一例を示している。なお、現在選択しようとしているボルトを電制スロットルの取付用として使用することは、操作入力部６の操作によって予め設定しておく必要がある。
【００２１】
また、ＣＰＵ１は、選択済のボルトで電制スロットルを取り付けた場合に、電制スロットルとエンジン構成部品との間隔を３Ｄデータ２４の座標距離から求めて、３Ｄデータ２４に重畳表示させても良い。これによって、ユーザは、選択したボルトを使用した時の他のエンジン構成部品との干渉度合いをチェックすることができる。
【００２２】
更にまた、図２に示す一覧を表示している時、操作入力部６から懸念項目リンク情報１７がクリック操作されたことを表す操作入力信号を入力すると、当該懸念項目リンク情報１７に対応付けられた懸念項目データを懸念項目記憶部５から検索する。そして、ＣＰＵ１は、懸念項目リンク情報１７に対応した懸念項目データを懸念項目記憶部５から読み出すと、図７に示すように、ツリー状に整理された不具合発生可能性を表示させる。この懸念項目データは、例えば「緩めた」とのボルトの不具合情報２５ａの下位項目として、原因情報２５ｂ、２５ｃ、２５ｄ、２５ｅがあり、ユーザが操作入力部６の操作によって詳細な項目を確認可能としている。
【００２３】
以上詳細に説明したように、本発明を適用した汎用部品選択支援装置によれば、ボルトを使用したエンジンを設計する時に、ボルトの名称情報１３等の識別情報と形状情報１８とを一覧で表示させる表示データを作成して、表示部８の一画面内に表示させるので、当該一覧表示によってボルトの選択作業を容易とすることができ、エンジンの開発期間の短縮や、エンジンのコストの低減を実現できる。
【００２４】
また、この汎用部品選択支援装置によれば、ボルトとエンジンに取り付けた時の３Ｄデータを表示すると共に干渉度合いを求めて表示させることができるので、実際にボルトを使用してエンジンに取り付ける段階で干渉度合いに関する不具合を検出してしまうことなく、干渉度合いが少ないボルトを確実に選択でき、ボルト選択作業の後の干渉確認作業を省くことによるエンジンの開発期間の短縮や、エンジンのコストの低減を実現できる。
【００２５】
更に、この汎用部品選択支援装置によれば、ボルトを使用した時の不具合発生可能性を表示させることができるので、ボルトの使用箇所に応じて、発生させるべきでない不具合を未然に避けてボルトの選択ができ、エンジンの開発期間の短縮及びエンジンの高信頼性を実現できる。
【００２６】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００２７】
【図１】本発明を適用した汎用部品選択支援装置の構成を示すブロック図である。
【図２】本発明を適用した汎用部品選択支援装置によって表示させる汎用部品の一覧を示す図である。
【図３】本発明を適用した汎用部品選択支援装置によって形状情報によって汎用部品を絞り込みできることを説明する図である。
【図４】汎用部品の３次元データを示す図である。
【図５】汎用部品の図面データを示す図である。
【図６】汎用部品と製品とを合成した３次元データを示す図である。
【図７】汎用部品の懸念項目データを示す図である。
【符号の説明】
【００２８】
１  ＣＰＵ
２  一覧表示用データ記憶部
３  ３Ｄデータ記憶部
４  図面データ記憶部
５  懸念項目記憶部
６  操作入力部
７  データ入力部
８  表示部
１１  形状概略情報
１２  部品番号情報
１３  名称情報
１４  図面番号情報
１５  ３Ｄデータリンク情報
１６  干渉チェックリンク情報
１７  懸念項目リンク情報
１８  形状情報
２１  属性情報
２２  ３Ｄデータ
２３  図面データ
２４  ３Ｄデータ
【図１】
0004816899.tif 000002
【図２】
0004816899.tif 000003
【図３】
0004816899.tif 000004
【図４】
0004816899.tif 000005
【図５】
0004816899.tif 000006
【図６】
0004816899.tif 000007
【図７】
0004816899.tif 000008